(57)【要約】【課題】  ベッド上におけるオムツ交換の際に発生する糞尿臭を、室内に拡散させる事なく、且つオムツ交換作業に支障をきたす事なく吸気できる吸気口体を提供する。【解決手段】  蒲鉾形の吸気器ケース（１ａ）内に吸気フード（１ｂ）及び吸気ダクト（１ｃ）を配設した吸気器（１）と、蒲鉾形のエアカーテン送風機ケース（２ａ）内にエアカーテン送風口体（２ｂ）及び電動送風ファン（２ｄ）及び電動送風ファン吸気ダクト（２ｅ）を配設したエアカーテン送風機（２）を、底板（３）上に対向して設けたエアカーテン吸引式吸気口体を特徴とする。【選択図】図１
2018175822.tif 000002
【特許請求の範囲】
【請求項１】
蒲鉾形の吸気器ケース（１ａ）内に吸気フード（１ｂ）及び吸気ダクト（１ｃ）を配設した吸気器（１）と、蒲鉾形のエアカーテン送風機ケース（２ａ）内にエアカーテン送風口体（２ｂ）及び電動送風ファン（２ｄ）及び電動送風ファン吸気ダクト（２ｅ）を配設したエアカーテン送風機（２）を、底板（３）上に対向して設けたエアカーテン吸引式吸気口体。
【請求項２】
吸気器（１）とエアカーテン送風機（２）との間の底板（３）上空間に形成されるエアカーテンの形状を、背面方向にのみエアカーテン開口部（６）を有するハーフパイプ形にした請求項１に記載のエアカーテン吸引式吸気口体。
【発明の詳細な説明】
【技術分野】
【０００１】  本発明は、ベッド上におけるオムツ交換の際に発生する糞尿臭の室内への拡散を防止する吸気口体に関するものである。
【背景技術】
【０００２】  病院や介護施設等において、ベッド上でのオムツ交換の際に室内に拡散する糞尿臭は、交換作業に当たる看護者をはじめ、オムツ装着者や同室者に非常に大きなストレスを与えている。
従来、室内空気を浄化する装置として、脱臭器を有する対流式空気清浄装置が知られている。また、カーテンで臭気発生源を囲み、エア供給ユニットでカーテン内部にエアを供給し、エア吸引ユニットでカーテン内部の臭気を吸引する消臭装置付きベッドが知られている。
【先行技術文献】
【特許文献】
【０００３】
【特許文献１】特開  平０８−２２９０７９
【特許文献２】特開２００１−１７８７８３
【発明の概要】
【発明が解決しようとする課題】
【０００４】  前者の対流式空気清浄装置は、糞尿臭が室内に拡散してしまうため看護者のストレス軽減にはならない。また、後者の消臭装置付きベッドは、カーテンが邪魔になりオムツの脱着作業や股間部の清拭作業ができない。【０００５】  本発明は、ベッド上におけるオムツ交換の際に発生する糞尿臭を、室内に拡散させる事なく、且つオムツ交換作業に支障をきたす事なく吸気できる吸気口体を提供する事を目的とする。
【課題を解決するための手段】
【０００６】［図１］を用いて説明する。
蒲鉾形の外形を有する吸気器（１）と、蒲鉾形の外形を有するエアカーテン送風機（２）を、底板（３）上に対向して設ける。【０００７】［図５］を用いて説明する。
吸気器（１）とエアカーテン送風機（２）との間の底板（３）上空間に形成されるエアカーテンの形状を、背面方向にのみエアカーテン開口部（６）を有するハーフパイプ形にする。
本発明は、以上の構成よりなる吸気口体である。
【発明の効果】
【０００８】［図５］を用いて説明する。
一次吸気  ：  底板（３）とエアカーテン気流（４）で囲まれた空間の気体がエアカーテン気流（４）に巻き込まれ、共に吸気口（１ｄ）から取り込まれる。
二次吸気  ：  一次吸気により、底板（３）とエアカーテン気流（４）で囲まれた空間が減圧されるため、エアカーテン開口部（６）から気体が誘引される（５）。【０００９】［図６］及び［図７］を用いて説明する。
本発明を用いたオムツ交換は、仰向けになったオムツ装着者（１１）の両膝を立て、右大腿部後面に吸気器（１）を、左大腿部後面にエアカーテン送風機（２）を押し当てた形で行う。
この形で汚れたオムツを展開した際、オムツ及び股間部に付着している糞尿から発生する臭気は、一次吸気（［０００８］参照）及び二次吸気（［０００８］参照）により、室内に拡散する事なく吸気される。【００１０】  また、吸気器（１）とエアカーテン送風機（２）は、オムツ装着者（１１）の大腿部後面とベッドマットの間に位置するため、オムツの脱着作業や股間部の清拭作業の邪魔にならない。【００１１】  本発明により、ベッド上におけるオムツ交換の際に発生する糞尿臭を、室内に拡散させる事なく、且つオムツ交換作業に支障をきたす事なく吸気する事ができる。
【図面の簡単な説明】
【００１２】
【図１】  本発明の斜視図である。
【図２】  本発明の吸気器ケース（１ａ）及びエアカーテン送風機ケース（２ａ）を外した斜視図である。
【図３】  本発明の正面図である。
【図４】  本発明の断面図である。
【図５】  本発明の作動時におけるエアカーテン送風口（２ｃ）周辺の空気流の概略図である。
【図６】  本発明を用いたオムツ交換の実施例図である。
【図７】  ［図６］におけるエアカーテン送風口（２ｃ）周辺の空気流の概略図である。
【図８】  本発明を用いた股間部清拭の別形態図である。
【発明を実施するための形態】
【００１３】［図１］及び［図２］を用いて説明する。
蒲鉾形の吸気器ケース（１ａ）内に吸気フード（１ｂ）及び吸気ダクト（１ｃ）を配設した吸気器（１）と、蒲鉾形のエアカーテン送風機ケース（２ａ）内にエアカーテン送風口体（２ｂ）及び電動送風ファン（２ｄ）及び電動送風ファン吸気ダクト（２ｅ）を配設したエアカーテン送風機（２）を、底板（３）上に対向して設ける。
【００１４】［図５］を用いて説明する。
吸気器（１）とエアカーテン送風機（２）との間の底板（３）上空間に形成されるエアカーテンの形状を、背面方向にのみエアカーテン開口部（６）を有するハーフパイプ形にする。
【００１５】［図６］を用いて説明する。
本発明を使用する時は、吸気器（１）に脱臭器付吸引機（７）を接続して使用する。
その際、脱臭器付吸引機（７）の単位時間当たりの吸引量を、エアカーテン送風機（２）の単位時間当たりの送風量より大きくし、臭気が吸気フード（１ｂ）から外部に漏れないようにする。
【００１６】  電動送風ファン（２ｄ）の電力は、脱臭器付吸引機（７）から吸引ダクト（８）を介して供給する。
【００１７】  本発明の応用として、吸気器（１）内に脱臭器付吸引機を配設すれば、外付けの脱臭器付吸引機（７）及び吸引ダクト（８）は不要となり、本発明単体でエアカーテン吸引式脱臭機として使用できる。
【００１８】［図６］を用いて説明する。
本発明を用いたオムツ交換は、仰向けになったオムツ装着者（１１）の両膝を立て、右大腿部後面に吸気器（１）を、左大腿部後面にエアカーテン送風機（２）を押し当てた形で行う。
その際、蒲鉾形をした吸気器（１）及びエアカーテン送風機（２）が、オムツ装着者（１１）の脚部を支える働きをするため、オムツ装着者（１１）は、無理なく両膝を立てた姿勢を保持する事ができ、また、腰に大きな負担をかけずにベッドから腰を浮かす事ができる。
これにより、看護者はオムツの脱着及び股間部の清拭をスムーズに行う事できる。
【００１９】［図８］を用いて説明する。
オムツ装着者（１１）の汚れたオムツを外した後、オムツ装着者（１１）を仰向けから横向きの姿勢にさせ、本発明を臀部に押し当てて使用する事により、糞尿臭を室内に拡散させる事なく股間部の清拭作業を行う事ができる。
【符号の説明】
【００２０】  １  吸気器
１ａ  吸気器ケース
１ｂ  吸気フード
１ｃ  吸気ダクト
１ｄ  吸気口
１ｅ  排気口
２  エアカーテン送風機
２ａ  エアカーテン送風機ケース
２ｂ  エアカーテン送風口体
２ｃ  エアカーテン送風口
２ｄ  電動送風ファン
２ｅ  電動送風ファン吸気ダクト
２ｆ  電動送風ファン吸気口
３  底板
４  エアカーテン気流
５  誘引される気流
６  エアカーテン開口部
７  脱臭器付吸引機
８  吸引ダクト
９  本発明（エアカーテン吸引式吸気口体）
１０  オムツ
１１  オムツ装着者
【図１】
2018175822.tif 000003
【図２】
2018175822.tif 000004
【図３】
2018175822.tif 000005
【図４】
2018175822.tif 000006
【図５】
2018175822.tif 000007
【図６】
2018175822.tif 000008
【図７】
2018175822.tif 000009
【図８】
2018175822.tif 000010